(57)【要約】      （修正有）【課題】設置面からの突き出し設置を可能とし、また異なる姿勢での設置が可能である商品陳列用具を提供すること。【解決手段】商品の陳列用具１０は、商品の受入部材１２と、商品受入部材１２に取り付けられた、商品受入部材１２をその設置面上に保持するための保持部材１４とを含む。保持部材１４はこれが設置面に当接する第１の位置と、商品受入部材１２に保持される第２の位置とにそれぞれ保持可能である。【選択図】図１
2007229126.tif 000002
【特許請求の範囲】
【請求項１】
商品の受入部材と、
前記商品受入部材に取り付けられた、前記商品受入部材をその設置面上に保持するための保持部材とを含み、
前記保持部材は該保持部材が前記設置面に当接する第１の位置と、前記商品受入部材に保持される第２の位置とにそれぞれ保持可能である、商品陳列用具。
【請求項２】
前記保持部材は、前記設置面に密着可能である密着部を有する、請求項１に記載の商品陳列用具。
【請求項３】
前記保持部材は前記商品受入部材に対して揺動可能である、請求項１に記載の商品陳列用具。
【請求項４】
前記保持部材は引掛け可能の形状を有する、請求項１又は３に記載の商品陳列用具。
【請求項５】
さらに、前記保持部材は、前記商品受入部材をその一端部において持ち上げて支持する第３の位置に保持可能である、請求項３に記載の商品陳列用具。
【請求項６】
前記商品受入部材は、前記保持部材が前記第１の位置にあるとき、その一部が前記設置面から突き出た状態で前記設置面上に保持される、請求項１に記載の商品陳列用具。
【請求項７】
前記保持部材は前記商品受入部材に対して滑動可能であり、前記商品受入部材は前記保持部材の一部を受け入れるための受け入れ部を有する、請求項１に記載の商品陳列用具。
【請求項８】
さらに、前記商品受入部材は引掛け用のフック部を有する、請求項１に記載の商品陳列用具。
【発明の詳細な説明】
【技術分野】
【０００１】
本発明は、スーパーマーケットのような店舗での使用に供される商品陳列用具、特に食肉売り場における焼き肉用たれ、鮮魚売り場におけるわさびのような関連商品の陳列のために用いられる商品陳列用具に関する。
【背景技術】
【０００２】
従来、関連商品のための商品陳列用具として、前記関連商品を受け入れる受入部材からなるものが使用されている。
【０００３】
前記受入部材は、その使用に際し、商品陳列ケースの頂面のような設置面上に載置されるところ、商品が購買客の目に止まりやすいように、その一部が前記設置面から突き出すように配置することが望ましいことがある。しかし、前記従来の商品陳列用具にあってはこのような突き出し設置を行うと前記設置面から落下しやすく、実際には、前記突き出し設置を行うことは困難であった。また、前記商品受入部材を異なる姿勢で設置することが困難であった。
【発明の開示】
【発明が解決しようとする課題】
【０００４】
本発明の目的は、設置面からの突き出し設置を可能とする商品陳列用具を提供することにある。また、本発明の他の目的は異なる姿勢での設置が可能である商品陳列用具を提供することにある。
【課題を解決するための手段】
【０００５】
本発明は、商品を陳列するための商品陳列用具に係り、商品の受入部材と、
前記商品受入部材に取り付けられた、前記商品受入部材をその設置面上に保持するための保持部材とを含む。前記保持部材は該保持部材が前記設置面に当接する第１の位置と、前記商品受入部材に保持される第２の位置とにそれぞれ保持可能である。
【０００６】
前記保持部材は、前記設置面に密着可能である密着部を有するものとすることができる。
【０００７】
前記保持部材は例えば前記商品受入部材に対して揺動可能であり、また商品陳列ケースの一部に引掛け可能である。さらに、前記保持部材は、前記商品受入部材をその一端部において持ち上げて支持する第３の位置に保持可能であるものとすることができる。
【０００８】
前記商品受入部材は、前記保持部材が前記第１の位置にあるとき、その一部が前記設置面から突き出た状態で前記設置面上に保持される。
【０００９】
前記保持部材は前記商品受入部材に対して滑動可能であり、前記商品受入部材は前記保持部材の一部を受け入れるための受け入れ部を有するものとすることができる。さらに、前記商品受入部材が引掛け用のフック部を有するものとすることができる。
【発明の効果】
【００１０】
本発明によれば、商品受入部材にこれをその設置面上に保持するための保持部材を取り付け、該保持部材を前記設置面に当接する第１の位置に保持可能としたことから、前記保持部材が前記第１の位置にあるとき、前記受入部材をその一部が前記設置面から突き出た状態で前記設置面上に保持する、いわゆる突き出し設置を可能とすることができる。また、前記保持部材を前記商品受入部材に保持される第２の位置に保持することにより、前記突き出し設置を行わない場合に前記保持部材が邪魔にならないように、商品陳列用具全体を比較的コンパクトにすることができる。
【００１１】
前記保持部材が前記設置面に密着可能の密着部を有するものとするときは、前記保持部材を前記設置面に当接させた状態からさらに進めて密着させることができる、前記保持部材の前記設置面上での移動の自由をより一層制限することができ、これにより、前記商品受入部材の突き出し設置をより安定にすることができる。
【００１２】
前記保持部材が前記商品受入部材に対して揺動可能であるときは、前記保持部材の２つの揺動位置をそれぞれ前記第１の位置及び前記第２の位置に定めることができる。さらに、前記保持部材の他の揺動位置を前記第３の位置に定め、前記商品受入部材をその一端部において持ち上げた状態である他の異なる姿勢におくことができる。
【００１３】
前記保持部材を前記商品受入部材に対して滑動可能としかつ前記商品受入部材に前記保持部材の一部を受け入れるための受け入れ部を設けるときは、前記保持部材を前記受け入れ部から突出した位置及び前記受け入れ部に受け入れられた位置をそれぞれ前記第１の位置及び前記第２の位置に定めることができる。
【００１４】
また、前記商品受入部材にフック部を設けるときは、該フックを用いて前記商品受入部材を前記商品陳列ケースの一部に引掛けた状態におくことができる。
【００１５】
前記保持部材はこれを重量物とすることができ、これによれば、前記保持部材の前記設置面に対する慣性力により、前記商品受入部材の前記設置面上における移動の自由を制限することができる。
【発明を実施するための最良の形態】
【００１６】
図１を参照すると、本発明に係る商品陳列用具の一例が全体に符号１０で示されている。
【００１７】
商品陳列用具１０は、スーパーマーケットのような店舗に陳列される商品（図示せず）を受け入れるための商品受入部材１２と、該商品受入部材に取り付けられた保持部材１４とを含む。図示の例では、保持部材１４は、商品受入部材１２の設置面である例えば商品陳列ケースの頂面に密着可能であるマグネット、吸着シート（例えば、東洋ケミテック(株)製のフィットボンド）、両面接着テープ等からなる密着部１６を有する。
【００１８】
図示の商品受入部材１２は箱状体からなる。前記箱状体は４つの側板部を有するところ、前記箱状体への保持部材１４の取り付けの便宜のため、一つの側板部１８が他の３つの側板部２０より大きい高さ寸法を有するように設定されている。前記箱状体は、側板部１８に相対する一の側板部２０を前方に向けて、すなわち購買客の手前に向けて設置される。なお、商品受入部材１２は、商品を受け入れあるいは載置可能であれば、図示の例に限らず、任意の形態を有するものとすることができる。
【００１９】
側板部１８にはその外面すなわち後面に、その横方向（高さ方向に直角な方向）に互いに間隔をおいて、上下方向に伸びる一対の板状のブラケット２２が設けられている。
【００２０】
図示の保持部材１４は金属線を折り曲げてなり、全体にコ字形の平面形状を呈し、２つの折り曲げ端部２４を有する。保持部材１４は商品受入部材１２の後方にあってその両端部２４が商品受入部材１２の両ブラケット２２の下部を前記横方向に貫通している。これにより、保持部材１４は商品受入部材１２に対して両端部２４の周りに揺動可能である。
【００２１】
図示の保持部材１４は、さらに、その両端部２４間に、コ字形に折り曲げられ前記横方向へ伸びる下方段部２６を有する。
【００２２】
密着部１６はシート状又は板状を呈し、保持部材１４の下方段部２６に取り付けられ下方に面している。密着部１６は、図示の例に代えて、任意の形状のものに設定することができる。なお、図示の例では、密着部１６は、下方段部２６に固定されたプレート２８を介して保持部材１４に取り付けられている。
【００２３】
図２及び図３に示すように、保持部材１４は、商品陳列用具１０が置かれる陳列台、陳列棚、ショーケース（商品陳列ケース）の頂面等からなる設置面３０上に密着部１６が当接する第１の位置（図２）と、商品受入部材１２に保持される第２の位置（図３）とにそれぞれ保持可能である。
【００２４】
図示の例では、前記第１の位置において、保持部材１４は設置面３０に対してほぼ平行をなす。このとき、設置面３０に当接する密着部１６は設置面３０に対して、磁気吸着、負圧吸着、接着等により密着する。前記磁気吸着の場合を除き、密着性を高めるために密着部１６を設置面３０に向けて押圧することができる。
【００２５】
設置面３０に対する密着部１６の密着により、保持部材１４を介して、商品受入部材１２を設置面３０上の一箇所に動かないように留めることができる。密着部１６の密着により、商品受入部材１２の前部又は前半部を設置面３０の縁から突出させて商品受入部材１２を設置面３０から落下しないように設置するいわゆる突き出し設置が可能である。
【００２６】
設置面３０に対する密着部１６の吸着状態は、保持部材１４を図２で見て反時計方向に回転させることにより、あるいは商品陳列用具１０を設置面３０から上方に持ち上げることにより、解除することができる。
【００２７】
保持部材１４の前記第１の位置から前記第２の位置への配置変更は、図２で見て、保持部材１４が商品受入部材１２の側板部１８に当たるまでこれを反時計方向に揺動させてその揺動位置を変更することにより行うことができる。
【００２８】
前記第２の位置においては、図３に示すように、保持部材１４は側板部１８に向けてわずかに傾いた状態で直立し、これに保持される。これによれば、前記第１の位置にあった保持部材１４は前記第２の位置へ折り畳まれるように配置されることから、商品陳列用具１０は全体にコンパクトになる。このため、図３に示すように、商品受入部材１２を動かないように配置する必要がない場合、保持部材１４が周囲の邪魔にならないようにすることができる。
【００２９】
図４に示すように、保持部材１４を前記第１の位置から時計方向に揺動させ、密着部１６が商品受入部材１２の下方に位置する第３の位置に保持することができる。これによれば、保持部材１４により、商品受入部材１２をその一端部すなわち後端部で持ち上げられた状態、すなわち購買客から商品がより一層よく見える状態に支持することができる。
【００３０】
保持部材１４を前記第１の位置及び前記第２の位置にそれぞれ保持するための保持部３２，３４と、保持部材１４を前記第３の位置により確実に保持するための保持部３５とが商品受入部材１２に設けられている。
【００３１】
図１を参照すると、保持部材１４を前記第１の位置に保持するための保持部３２は、各ブラケット２２に設けられ保持部材１４の各端部２４に連なる直線部３６を挟持可能である２つの突起３８，４０からなる。保持部材１４はその直線部３６を挟持する両突起３８，４０により揺動を制限され、これにより前記第１の位置に保持される。保持部材１４はその両端部２４の間隔が増大するようにその直線部３６を弾性変形させ、直線部３６を両突起３８，４０間から離脱させることにより再び揺動可能とすることができる。
【００３２】
保持部材１４を前記第２の位置に保持するための保持部３４は、両突起の一方３８と商品受入部材１２の側板部１８とからなる。突起３８及び側板部１８はこれらの間に保持部材１４の直線部３６を挟持することができ、これにより保持部材１４の揺動が阻止され、保持部材１４が前記第２の位置に保持される。
【００３３】
また、保持部材１４を前記第３の位置に保持するための保持部３５は、両突起の他方４０と商品受入部材１２の側板部１８とからなる。突起４０及び側板部１８はこれらの間に保持部材１４の直線部３６を挟持することができ、これにより保持部材１４の揺動が阻止され、保持部材１４が前記第３の位置に保持される。
【００３４】
保持部３４，３５からの保持部材の直線部３６の離脱は、保持部３２からの直線部３６の離脱と同様にして行うことができる。
【００３５】
図５に示すように、保持部材１４の下方段部２６を利用して、商品受入部材１２を例えば商品陳列ケースの一部である突起４２に引掛けて、前記したとは異なる態様で支持することができる。
【００３６】
次に、図６を参照すると、本発明の他の例に係る商品陳列用具１０が示されている。
【００３７】
この例は、保持部材１４が図１に示す下方段部２６を有しない、全体にコ字形を呈するものからなり、及び保持部材１４を前記第３の位置に保持するための保持部３５が各ブラケットに設けられた２つの突起４０，４４からなる点において、図１に示す例と異なる。
【００３８】
保持部材１４が下方段部２６を有しないため、密着部材１６が固定されたプレート２８が保持部材１４の両直線部３６間に配置されかつこれらに固定されている。
【００３９】
保持部材１４は、図１に示す例におけると同様、突起３８及び突起４０からなる保持部３２により前記第１の位置に保持され（図７）、また突起３８及び側板部１８からなる保持部３４により前記第１の位置に保持される（図８）。他方、保持部材１４の前記第３の位置への保持は、突起４０及び突起４４からなる保持部３５により保持される（図９）。このとき、保持部材１４の直線部３６が両突起４０，４４間に挟持される。
【００４０】
また、この例では、商品陳列用具１０を商品陳列台の突起４２（図５参照）のような適当なものに引掛けて配置することができるように、商品受入部材１２の側板部１８の前記横方向における両端の頂部にそれぞれ一対のフック部４６が設けられている。フック部４６を利用して行う商品陳列用具１０の引掛けによる配置は、保持部材１４を前記第２の位置においた状態で行うことができる。
【００４１】
図１０に示すように、保持部材１４についてこれを揺動可能とする前記した例に代えて、商品受入部材１２に対して滑動可能とすることができる。
【００４２】
図示の保持部材１４は全体にコ字形を呈し、前記した例におけると異なり、下方に向けて折り曲げられた折り曲げ端部（図示せず）を有する。また、この例においては、保持部材１４の両折り曲げ端部及び両直線部３６を受け入れるための受け入れ部４８が商品受入部材１２に設けられている。
【００４３】
受け入れ部４８は、商品受入部材１２の互いに相対する両側板部２０の下部にそれぞれ設けられ該側板部に沿って伸びる２条の切欠き５０からなる。各切欠き５０には、その長手方向に間隔をおいて、保持部材１４のための保持部をなす２つの突起５２，５４が設けられている。
【００４４】
保持部材１４の両直線部３６及び両折り曲げ端部は両切欠き５０内を該切欠きの伸張方向（前後方向）へ滑動可能である。両直線部３６を両切欠き５０から引き出すことにより、保持部材１４を前記第１の位置に配置することができる。このとき、保持部材１４の各折り曲げ端部が後方側の突起５２に係止し、これにより保持部材１４が前記第１の位置に保持される。前記第１の位置では、前記した例におけると同様、保持部材１４に支持された吸着部材１６が設置面３０に当接し、これに吸着する（図１１）。
【００４５】
また、保持部材１４の直線部及び折り曲げ部を切欠き５０内でその前方に向けて滑動させることにより、保持部材１４の一部が商品受入部材内に収容、保持される。したがって、このとき、保持部材１４は前記第２の位置に配置され、その折り曲げ端部が前方の突起５４に係止し、その結果、保持部材１４は前記第２の位置により確実に保持される（図１２）。
【００４６】
この例においても、同様に、フック部４６を設けることができる。
【００４７】
前記した商品陳列用具１０は、保持部材１４が密着部１６を有する。これに代えて、保持部材１４をこれが密着部１６を有しない重量物として構成してなる商品陳列用具とすることができる。
【００４８】
保持部材１４を重量物として構成してなる商品陳列用具によれば、重量物としての保持部材が設置面３０に当接する第１の位置にあるとき、商品受入部材１２は、重量物としての保持部材が設置面３０上に留まろうとする慣性力により、その移動を制限され、設置面３０上の所定位置に留まる。
【００４９】
重量物としての保持部材は、これをより比重の大きいもの、全体形状の大きいもの等とすることにより、より大きい重量を有するものとすることができる。
【００５０】
前記したいずれの例においても、前記保持部材は図示の形状以外の任意の形状を有するものとすることができ、また、前記金属線以外の材料を以て形成することができる。
【図面の簡単な説明】
【００５１】
【図１】本発明に係る商品陳列用具の一例を示す斜視図である。
【図２】保持部材が第１の位置にあるときの設置面上の商品陳列用具の側面図である。
【図３】保持部材が第２の位置にあるときの設置面上の商品陳列用具の側面図である。
【図４】保持部材が第３の位置にあるときの設置面上の商品陳列用具の側面図である。
【図５】引掛けにより配置された状態の商品陳列用具の側面図である。
【図６】本発明に係る商品陳列用具の他の一例を示す斜視図である。
【図７】保持部材が第１の位置にあるときの設置面上の商品陳列用具の側面図である。
【図８】保持部材が第２の位置にあるときの設置面上の商品陳列用具の側面図である。
【図９】保持部材が第３の位置にあるときの設置面上の商品陳列用具の側面図である。
【図１０】本発明に係る商品陳列用具のさらに他の一例を示す斜視図である。
【図１１】保持部材が第１の位置にあるときの設置面上の商品陳列用具の側面図である。
【図１２】保持部材が第２の位置にあるときの設置面上の商品陳列用具の側面図である。
【符号の説明】
【００５２】
１０  商品陳列用具
１２  商品受入部材
１４  保持部材
１６  密着部
３０  設置面
【図１】
2007229126.tif 000003
【図２】
2007229126.tif 000004
【図３】
2007229126.tif 000005
【図４】
2007229126.tif 000006
【図５】
2007229126.tif 000007
【図６】
2007229126.tif 000008
【図７】
2007229126.tif 000009
【図８】
2007229126.tif 000010
【図９】
2007229126.tif 000011
【図１０】
2007229126.tif 000012
【図１１】
2007229126.tif 000013
【図１２】
2007229126.tif 000014